(57)【特許請求の範囲】
【請求項１】
無線通信にて信号の送受信が互いに可能な親機と子機とを有するコードレス電話機において、前記親機から無線通信による通話チャンネルを用いて音量設定情報を前記子機へ送信して前記子機の呼び出し音量を設定させる手段、及び、前記子機から無線通信による通話チャンネルを用いて音量設定情報を前記親機へ送信して前記親機の呼び出し音量を設定させる手段のうちの少なくとも１つの手段を備えることを特徴とするコードレス電話機。
【請求項２】
無線通信にて信号の送受信が互いに可能な親機と子機とを有するコードレス電話機において、前記親機から無線通信による通話チャンネルを用いて音量設定情報を前記子機へ送信して前記子機での通話音量を設定させる手段、及び、前記子機から無線通信による通話チャンネルを用いて音量設定情報を前記親機へ送信して前記親機での通話音量を設定させる手段のうちの少なくとも１つの手段を備えることを特徴とするコードレス電話機。
【請求項３】
無線通信により設定される呼び出し音量または通話音量は、絶対値または相対値である請求項１または２記載のコードレス電話機。
【発明の詳細な説明】
【０００１】
【発明の属する技術分野】
本発明は、無線通信により互いに信号の送受信が可能な親機と子機とを有するコードレス電話機に関する。
【０００２】
【従来の技術】
コードレス電話機は、外線に接続された親機（接続装置）と、親機との間で無線による電波の送受信を行う子機（子局）とに分かれている。親機が外線から着信を検知した場合には、親機が発呼局に、子機が被呼局となり、後述する制御チャネルを用いて親機，子機間で制御データのやりとりを行い、親機と子機とが後述する通話チャネルで接続される。一方、子機が発信する場合には、子機が発呼局に、親機が被呼局となり、制御チャンネルを用いて親機，子機間で制御データのやりとりを行い、親機と子機とが通話チャンネルで接続される。親機が送信し子機が受信する周波数と、子機が送信し親機が受信する周波数とは独立しており、同時（全二重）通話が可能である。
【０００３】
アナログ・コードレス電話の標準規格（ＲＣＲ  ＳＴＤ−１３）によると、コードレス電話機ではＭＣＡ（Multi-Channel Access）方式が採用されており、２チャンネルの制御チャンネルと87チャンネルの通話チャンネルとが存在する。制御チャンネルは、相手機の特定及び通話チャンネルを設定する際に親機，子機間での制御データの送受信を行うためのチャンネルである。なお、送信する制御データの構成，データ長はコードレス電話機において任意に設定することができる。
【０００４】
一方、通話チャンネルは親機，子機間で音声データのやりとりを行って通話するためのチャンネルであり、通話チャンネルでは、音声データだけでなく「発呼」，「着信」，「終話」などの制御データを送ることが可能であり、通話中であっても親機，子機間での制御データの送受信を行える。但し、制御データの送受信中は、一時的に通話は行えない。
【０００５】
ところで、外部から親機に着信があった場合に、親機及び子機は何れも呼び出しベルを鳴動させるようになっているが、この呼び出しベルの音量は、親機，子機それぞれ自身で設定する構成となっている。また、親機及び子機における通話音量も、呼び出しベルの音量と同様に、親機，子機それぞれ自身で設定するようになっている。
【０００６】
【発明が解決しようとする課題】
このように従来のコードレス電話機では、親機，子機の呼び出しベルの音量及び通話音量は、それぞれ自身の側でしか調整できず、使用勝手が悪いという問題がある。
【０００７】
本発明は斯かる事情に鑑みてなされたものであり、親機から子機に対する遠隔操作によって子機の呼び出しベルの音量を設定でき、及び／または、子機から親機に対する遠隔操作によって親機の呼び出しベルの音量を設定できることにより、使用者の利便性を図れるコードレス電話機を提供することを目的とする。
【０００８】
本発明の他の目的は、親機から子機に対する遠隔操作によって子機の通話音量を設定でき、及び／または、子機から親機に対する遠隔操作によって親機の通話音量を設定できることにより、使用者の利便性を図れるコードレス電話機を提供することにある。
【０００９】
【課題を解決するための手段】
請求項１（第１発明）に係るコードレス電話機は、無線通信にて信号の送受信が互いに可能な親機と子機とを有するコードレス電話機において、前記親機から無線通信による通話チャンネルを用いて音量設定情報を前記子機へ送信して前記子機の呼び出し音量を設定させる手段、及び、前記子機から無線通信による通話チャンネルを用いて音量設定情報を前記親機へ送信して前記親機の呼び出し音量を設定させる手段のうちの少なくとも１つの手段を備えることを特徴とする。
【００１０】
請求項２（第２発明）に係るコードレス電話機は、無線通信にて信号の送受信が互いに可能な親機と子機とを有するコードレス電話機において、前記親機から無線通信による通話チャンネルを用いて音量設定情報を前記子機へ送信して前記子機での通話音量を設定させる手段、及び、前記子機から無線通信による通話チャンネルを用いて音量設定情報を前記親機へ送信して前記親機での通話音量を設定させる手段のうちの少なくとも１つの手段を備えることを特徴とする。
【００１１】
請求項３に係るコードレス電話機は、請求項１または２において、無線通信により設定される呼び出し音量または通話音量は、絶対値または相対値であることを特徴とする。
【００１２】
第１発明では、親機から子機に対して、及び／または、子機から親機に対して、遠隔操作にて相手機の呼び出し音量を設定する。通話チャンネルで送信される制御データの１つとして呼び出し音量設定用の制御データを設け、親機から子機へ、及び／または、子機から親機へ、その制御データを送信して、相手機の呼び出し音量を設定する。よって、自身での呼び出し音量設定機能に加えて、親機から子機、及び／または、子機から親機への呼び出し音量設定機能も併せ持つことになり、ユーザの操作性が向上する。
【００１３】
第２発明では、親機から子機に対して、及び／または、子機から親機に対して、遠隔操作にて相手機の通話音量を設定する。通話チャンネルで送信される制御データの１つとして通話音量設定用の制御データを設け、親機から子機へ、及び／または、子機から親機へ、その制御データを送信して、相手機の通話音量を設定する。よって、自身での通話音量設定機能に加えて、親機から子機、及び／または、子機から親機への通話音量設定機能も併せ持つことになり、ユーザの操作性が向上する。
【００１４】
なお、第１発明または第２発明において、相手機の呼び出し音量または通話音量の設定値は、予め設定された複数のレベルに対して絶対的なレベルを指定する絶対指定、または、現状のレベルに対して相対的に増減を指定する相対指定の何れでも可能であり、任意の設定方法を選択できる。
【００１５】
【発明の実施の形態】
以下、本発明をその実施の形態を示す図面に基づいて具体的に説明する。図１は、本発明のコードレス電話機の構成図である。図１において、１は親機、２は子機である。
【００１６】
親機１は、アンテナ11と、アンテナ11を介した電波の送受信処理を行う無線部12と、アナログの電話回線Ｌの閉結及び開放の動作を行うＮＣＵ（Network Control Unit）13と、電話器としてのハンドセット14と、ユーザの入力操作を受け付ける操作部15と、着信を知らせるアラームスピーカから構成されるブザー16と、これらの各部材を制御する制御部17とを有する。ハンドセット14は、ＮＣＵ13に接続され、通話時に使用されるスピーカ及びマイクロフォンを内蔵している。また、ＮＣＵ13は、ハンドセット14のスピーカの音量を増幅するアンプを内蔵している。制御部17は、操作部15からのユーザ入力、または、アンテナ11を介した子機２からの制御データに応じて、ブザー16の音量、及び、ハンドセット14のスピーカの音量を調整するようになっている。
【００１７】
子機２は、アンテナ21と、アンテナ21を介した電波の送受信処理を行う無線部22と、音声を入力するマイクロフォン23と、通話音声を出力するスピーカ24と、マイクロフォン23への入力を増幅するアンプ25と、スピーカ24の音量を増幅するアンプ26と、ユーザの入力操作を受け付ける操作部27と、着信を知らせるアラームスピーカから構成されるブザー28と、これらの各部材を制御する制御部29とを有する。制御部29は、操作部27からのユーザ入力、または、アンテナ21を介した親機１からの制御データに応じて、ブザー28の音量、及び、スピーカ24の音量を調整するようになっている。
【００１８】
次に、動作について説明する。まず、親機１側での入力操作によって、親機１のベル音量及び受話音量を設定する例について説明する。ユーザが操作部15で所望のベル音量の大きさまたは受話音量の大きさを設定する。そのユーザ入力されたベル音量の設定値に基づいて、制御部17にて、ブザー16の音量が制御される。また、そのユーザ入力された受話音量の設定値に基づいて、制御部17にて、ＮＣＵ13の内蔵アンプが調整され、ハンドセット14のスピーカの音量が制御される。
【００１９】
なお、子機２側での入力操作によって、子機２のベル音量及び受話音量を設定する場合も、親機１と同様の手順にて行える。ユーザが操作部27で所望のベル音量の大きさまたは受話音量の大きさを設定すると、その入力されたベル音量の設定値に基づいて、制御部29にて、ブザー28の音量が制御されるか、または、その入力された受話音量の設定値に基づいて、制御部29にて、アンプ26が調整され、スピーカ24の音量が制御される。
【００２０】
次に、本発明の特徴部分である、親機１からの遠隔操作による子機２のベル音量，受話音量の設定、または、子機２からの遠隔操作による親機１のベル音量，受話音量の設定について説明する。
【００２１】
このような遠隔設定を行う場合には、親機１，子機２間での発呼処理，着信処理，終話処理等の各処理を行うための通話チャンネルを利用する。図２は、通話チャンネルにおける制御データのフォーマットの一例を示す。制御データは、処理の種類を示すコマンドとその処理の具体的内容を示すパラメータとから構成されている。本発明では、この制御データの１つとして、「ベル音量設定」と「受話音量設定」とを設ける。そして、それぞれの音量の大きさ（設定値）は例えば16段階に設定し、その設定レベルは絶対レベルであっても相対レベルであっても何れのレベルでも良い。
【００２２】
図３は、親機１，子機２間での遠隔操作によるベル音量設定処理の動作シーケンスを示す図である。発呼局（親機１または子機２）から被呼局（子機２または親機１）のベル音量を切り換える場合には、まず、制御チャンネルを用いて発呼局から被呼局へ「接続要求」を送る。この「接続要求」に応えて被呼局から発呼局へ「応答」を制御チャンネルを用いて送り、これにより発呼局・被呼局間が通話チャンネルで接続される。次いで、通話チャンネルを用いて、被呼局のベル音量の大きさを設定する「ベル音量設定情報」を発呼局から被呼局へ送る。そして、送られた「ベル音量設定情報」に基づいて被呼局のベル音量が切り換えられる。なお、図３では通話を伴わない場合の例を示しているが、通話を伴うようにしても良い。
【００２３】
具体的に、親機１側からの遠隔操作によって子機２のベル音量を設定する場合には、親機１の操作部15への操作入力に応じて制御部17で子機２に対する制御データ「ベル音量設定情報」のパラメータ（音量レベル）を設定し、通話チャンネルによりその制御データを子機２に送る。そして、子機２では、送られてきた制御データに基づいて、制御部29によりブザー28の音量を調整する。
【００２４】
一方、子機２側からの遠隔操作によって親機１のベル音量を設定する場合には、全く同様に、子機２の操作部27への操作入力に応じて制御部29で親機１に対する制御データ「ベル音量設定情報」のパラメータ（音量レベル）が設定され、通話チャンネルによりその制御データが親機１に送られ、送られた制御データに基づいて、制御部17によりブザー16の音量が調整される。
【００２５】
ベル音量は、呼び出し前に設定しておく必要があるので、制御データを送るタイミングとしては、ベル音量設定のためだけの制御データを送っても良いし、呼び出し時にベル音量設定のための制御データを併せて送るようにしても良い。
【００２６】
図４は、親機１，子機２間での遠隔操作による受話音量設定処理の動作シーケンスを示す図である。まず、制御チャンネルを用いて、発呼局から被呼局へ「接続要求」を送り、この「接続要求」に応えて被呼局から発呼局へ「応答」を送る。これにより発呼局・被呼局間が通話チャンネルで接続され、通話が可能となる。そして、発呼局（親機１または子機２）から被呼局（子機２または親機１）の受話音量を切り換える場合には、通話チャンネルを用いて、被呼局の受話音量の大きさを設定する「受話音量設定情報」を発呼局から被呼局へ送る。この結果、送られた「受話音量設定情報」に基づいて被呼局の受話音量が切り換えられる。また、被呼局から発呼局の受話音量を切り換える場合には、通話チャンネルを用いて、発呼局の受話音量の大きさを設定する「受話音量設定情報」を被呼局から発呼局へ送る。この結果、送られた「受話音量設定情報」に基づいて発呼局の受話音量が切り換えられる。なお、図４では通話中に受話音量の切換を行う場合の例を示しているが、通話チャンネルが接続された段階で通話前に受話音量の切換を行うようにしても良い。
【００２７】
具体的に、親機１側からの遠隔操作によって子機２の受話音量を設定する場合には、親機１の操作部15への操作入力に応じて制御部17で子機２に対する制御データ「受話音量設定情報」のパラメータ（音量レベル）を設定し、通話チャンネルによりその制御データを子機２に送る。そして、子機２では、送られてきた制御データに基づいて、制御部29によりアンプ26を調整して、スピーカ24の音量を制御する。
【００２８】
一方、子機２側からの遠隔操作によって親機１の受話音量を設定する場合には、全く同様に、子機２の操作部27への操作入力に応じて制御部29で親機１に対する制御データ「受話音量設定情報」のパラメータ（音量レベル）が設定され、通話チャンネルによりその制御データが親機１に送られ、送られた制御データに基づいて、制御部17によりＮＣＵ13の内蔵アンプが調整されてハンドセット14のスピーカの音量が制御される。
【００２９】
【発明の効果】
以上のように、本発明のコードレス電話機では、親機から子機に対して、及び／または、子機から親機に対して、遠隔操作にて相手機の呼び出し音量を設定できるようにしたので、コードレス電話機に対するユーザの使用勝手が良くなる。
【００３０】
また、本発明のコードレス電話機では、親機から子機に対して、及び／または、子機から親機に対して、遠隔操作にて相手機の通話音量を設定できるようにしたので、コードレス電話機に対するユーザの使用勝手が良くなる。
【００３１】
更に、本発明のコードレス電話機では、遠隔操作にて相手機の呼び出し音量及び／または通話音量を設定する際に、その設定値を絶対値，相対値の何れの形式でも設定できるので、ユーザの使用勝手が更に良くなる。
【図面の簡単な説明】
【図１】本発明のコードレス電話機の構成を示す図である。
【図２】本発明のコードレス電話機における制御データのフォーマットの一例を示す図である。
【図３】本発明のコードレス電話機におけるベル音量設定処理の動作シーケンスを示す図である。
【図４】本発明のコードレス電話機における受話音量設定処理の動作シーケンスを示す図である。
【符号の説明】
１  親機
２  子機
13  ＮＣＵ
14  ハンドセット
15  操作部
16  ブザー
17  制御部
24  スピーカ
26  アンプ
27  操作部
28  ブザー
29  制御部
【図１】
0003931402.tif 000002
【図２】
0003931402.tif 000003
【図３】
0003931402.tif 000004
【図４】
0003931402.tif 000005